(57)【要約】【課題】ユーザは、メニュー画面に表示された短縮名称ではメニュー項目の具体的な内容を把握できない場合があった。【解決手段】電子機器は、表示部に表示された表示項目の選択を検知する検知部と、項目を示す文字列である正式名称と正式名称の文字列を短縮した短縮名称とが対応付けられた項目を短縮可能項目として記憶する名称記憶部と、短縮名称で表示された短縮可能項目が選択された場合に、短縮可能項目の表示を短縮名称から正式名称に切り替える表示制御部とを備える。【選択図】図３
2013084084.tif 000002
【特許請求の範囲】
【請求項１】
表示部に表示された表示項目の選択を検知する検知部と、
項目を示す文字列である正式名称と前記正式名称の文字列を短縮した短縮名称とが対応付けられた前記項目を短縮可能項目として記憶する名称記憶部と、
前記短縮名称で表示された前記短縮可能項目が選択された場合に、前記短縮可能項目の表示を前記短縮名称から前記正式名称に切り替える表示制御部と
を備える電子機器。
【請求項２】
前記表示制御部は、前記短縮可能項目の表示領域を拡大して、前記短縮可能項目の表示を前記短縮名称から前記正式名称の少なくとも一部に変更する請求項１に記載の電子機器。
【請求項３】
前記表示制御部は、前記短縮可能項目の表示領域を拡大するとともに他の前記表示項目の数を削減する請求項２に記載の電子機器。
【請求項４】
前記表示制御部は、前記短縮可能項目の表示領域を拡大するとともに他の前記表示項目の表示領域を圧縮する請求項２または３に記載の電子機器。
【請求項５】
前記検知部は、前記短縮可能項目が前記正式名称の一部で表示されている場合に、前記正式名称の表示をスクロールするスクロール操作を検知し、
前記表示制御部は、前記スクロール操作に応じて、前記正式名称の表示をスクロールする請求項１から４のいずれか１項に記載の電子機器。
【請求項６】
前記表示制御部は、前記正式名称で表示された前記短縮可能項目の選択が解除された場合に、前記短縮可能項目の表示を前記正式名称から前記短縮名称に切り替える請求項１から５のいずれか１項に記載の電子機器。
【請求項７】
前記検知部は、前記表示部に積層されたタッチパネルセンサの操作位置および接触形態を検知し、
前記表示制御部は、前記短縮名称で表示された前記短縮可能項目に対する接触形態が前記短縮可能項目の確定操作に対応する接触形態と異なる場合に、前記短縮可能項目の表示を前記短縮名称から前記正式名称に切り替える請求項１から６のいずれか１項に記載の電子機器。
【請求項８】
前記表示制御部は、前記表示部の表示画面の切り替え直後において、前記短縮可能項目が選択されている場合であっても前記短縮名称で表示する請求項１から７のいずれか１項に記載の電子機器。
【請求項９】
項目を示す文字列である正式名称と前記正式名称の文字列を短縮した短縮名称とが対応付けられた前記項目を短縮可能項目として記憶する名称記憶部を備える電子機器の制御プログラムであって、
表示部に表示された表示項目の選択を検知する受付ステップと、
前記短縮名称で表示された前記短縮可能項目が選択された場合に、前記短縮可能項目の表示を前記短縮名称から前記正式名称に切り替える表示制御ステップと
をコンピュータに実行させる電子機器の制御プログラム。
【発明の詳細な説明】
【技術分野】
【０００１】
本発明は、電子機器および電子機器の制御プログラムに関する。
【背景技術】
【０００２】
近年、デジタルカメラ、携帯電話等の電子機器に複雑な機能が搭載されるに従って、ユーザが設定すべきメニュー項目の数が膨大となっている。そのため、電子機器のメニュー項目群は、種類に応じて複数に分類され、分類ごとにメニュー項目が表示される。
［先行技術文献］
［特許文献］
［特許文献１］特開２００２−１８９５５２号公報
【発明の概要】
【発明が解決しようとする課題】
【０００３】
文字数の多いメニュー項目の名称は、予め定められた項目の表示領域にすべて表示できない場合がある。この場合に、名称を短縮した短縮名称が代わりに表示される。しかしながら、ユーザは、メニュー画面に表示された短縮名称ではメニュー項目の具体的な内容を把握できない場合があった。
【課題を解決するための手段】
【０００４】
本発明の第１の態様における電子機器は、表示部に表示された表示項目の選択を検知する検知部と、項目を示す文字列である正式名称と正式名称の文字列を短縮した短縮名称とが対応付けられた項目を短縮可能項目として記憶する名称記憶部と、短縮名称で表示された短縮可能項目が選択された場合に、短縮可能項目の表示を短縮名称から正式名称に切り替える表示制御部とを備える。
【０００５】
本発明の第２の態様における電子機器の制御プログラムは、項目を示す文字列である正式名称と正式名称の文字列を短縮した短縮名称とが対応付けられた項目を短縮可能項目として記憶する名称記憶部を備える電子機器の制御プログラムであって、表示部に表示された表示項目の選択を検知する受付ステップと、短縮名称で表示された短縮可能項目が選択された場合に、短縮可能項目の表示を短縮名称から正式名称に切り替える表示制御ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】第１実施形態に係るカメラのシステム構成図である。
【図２】第１実施形態に係るカメラの背面図である。
【図３】第１実施形態におけるメニュー画面の表示例である。
【図４】第１実施形態における名称テーブルを説明する図である。
【図５】第１実施形態におけるメニュー画面の他の表示例１である。
【図６】第１実施形態におけるメニュー画面の他の表示例２である。
【図７】第１実施形態におけるメニュー画面の表示処理を示すフロー図である。
【図８】第２実施形態に係るカメラのシステム構成図である。
【図９】第２実施形態におけるメニュー画面の第１表示例である。
【図１０】第２実施形態におけるメニュー画面の第２表示例である。
【図１１】第２実施形態におけるメニュー画面の第３表示例である。
【図１２】第２実施形態におけるメニュー画面の第４表示例である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、第１実施形態に係るカメラのシステム構成図である。第１実施形態では、電子機器の一例として、カメラ１０について説明する。カメラ１０は、システム制御部１１を備え、カメラ１０を構成する各要素を直接的または間接的に制御する。システム制御部１１は、システムメモリ１２と通信する。また、システム制御部１１は、後述する操作部材３９の操作を検知する検知部１３を備える。
【００１０】
システムメモリ１２は、電気的に消去・記録可能な不揮発性メモリであり、例えばＥＥＰＲＯＭ（登録商標）等により構成される。システムメモリ１２は、カメラ１０の動作時に必要な定数、変数、設定値、プログラム等を、カメラ１０の非動作時にも失われないように記憶している。特に、ユーザが設定する各種設定値は、カメラ１０のメニュー項目として、種類に応じて複数に分類され、ユーザに提示するメニュー画面と共に管理されている。
【００１１】
また、システムメモリ１２は、ユーザが各種設定値を設定するためのメニュー項目群を、種類に応じて複数に分類して記憶している。メニュー項目群は、ページに区分されてシステムメモリ１２に管理されている。具体的には、各ページが後述する表示部３７で一度に表示可能な数のメニュー項目で構成されるように、メニュー項目群が開始項目から順にページに区分される。さらに、システムメモリ１２は、後述するメニュー項目群の名称テーブルを記憶する名称記憶部として機能する。
【００１２】
カメラ１０は、光学系２０を備える。光学系２０は、主にズームレンズ、フォーカスレンズ、手振れ補正レンズを含むレンズ群２１、および、レンズシャッタ２２により構成される。被写体像は光軸に沿って光学系２０に入射し、撮像素子３１の結像面に結像する。
【００１３】
撮像素子３１は、光学系２０を透過して入射する被写体像である光学像を光電変換する素子であり、例えば、ＣＣＤ、ＣＭＯＳセンサが用いられる。撮像素子３１で光電変換された被写体像は、Ａ／Ｄ変換器３２でアナログ信号からデジタル信号に変換される。
【００１４】
デジタル信号に変換された被写体像は、画像データとして順次処理される。Ａ／Ｄ変換器３２によりデジタル信号に変換された画像データは、メモリ制御部３３の制御に従い、一旦内部メモリ３４に記憶される。内部メモリ３４は、高速で読み書きのできるランダムアクセスメモリであり、例えばＤＲＡＭ、ＳＲＡＭなどが用いられる。内部メモリ３４は、連写撮影、動画撮影において高速に連続して画像データが生成される場合に、画像処理の順番を待つバッファメモリとしての役割を担う。
【００１５】
また、内部メモリ３４は、画像処理部３５が行う画像処理、圧縮処理において、ワークメモリとしての役割も担うと共に、所定の目的に即して加工処理された画像データを一時的に保管する役割も担う。更に、システムメモリ１２に記憶されている定数、変数、設定値、プログラム等が適宜展開されて、カメラ１０の制御に利用される。したがって、内部メモリ３４は、これらの役割を担うに相当する十分なメモリ容量を備える。メモリ制御部３３は、いかなる作業にどれくらいのメモリ容量を割り当てるかを制御する。
【００１６】
画像処理部３５は、設定されている撮影モード、ユーザからの指示に則して、画像データを所定の画像フォーマットに従った画像ファイルに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。
【００１７】
画像処理部３５によって処理された静止画像ファイル、動画像ファイルは、メモリ制御部３３の制御により、内部メモリ３４から記録媒体ＩＦ３８を介して、記録媒体５０に記録される。記録媒体５０は、フラッシュメモリ等により構成される、カメラ１０に対して着脱可能な不揮発性メモリである。ただし、記録媒体５０は、着脱式に限らず、カメラ１０に内蔵される例えばＳＳＤなどの記録媒体であっても良い。このとき、記録媒体５０に記録された静止画像ファイル、動画像ファイルは、有線によるＵＳＢ、無線によるＬＡＮ等により外部へ出力される。
【００１８】
画像処理部３５で処理された画像データは、記録用に処理される画像データに並行して、表示用画像データを生成する。通常の表示用画像データは、記録用に処理される画像データをコピーして間引き処理された、画素数の少ない画像データである。つまり、記録用に処理される画像データに従って生成される通常の表示用画像データは、記録用の画像データと同様のカラー情報であるＲＧＢ情報を有する。このように生成された表示用画像データは、表示制御部３６により、赤色信号であるＲ信号、緑色信号であるＧ信号および青色信号であるＢ信号に変換されて表示部３７へ出力される。また、同時に、表示制御部３６は表示部３７のバックライトの輝度を調整する輝度調整信号を出力する。
【００１９】
表示部３７は、ＬＣＤパネルとバックライトを備える液晶ディスプレイユニットである。表示部３７は、表示制御部３６が出力するＲＧＢ信号および輝度調整信号を受け取り、ＬＣＤパネルの各画素でＲＧＢ信号の階調を生成しつつ、バックライトの輝度を調整することにより、表示用画像データをユーザに視認されるように表示する。
【００２０】
記録の有無に関わらず、画像処理部３５が撮像素子３１の出力に従って逐次表示用画像データを生成して表示部３７へ出力すれば、電子ビューファインダーとしてのライブビュー表示を実現することができる。したがって、表示部３７は、静止画および動画撮影後の再生表示、撮影前および動画撮影中のライブビュー表示を実現することができる。
【００２１】
また、表示制御部３６は、システムメモリ１２に記憶された情報を用いて、メニュー画面を表示部３７に表示させることもできる。メニュー画面の具体的な表示態様については後述する。
【００２２】
カメラ１０は、ユーザからの操作を受け付ける操作部材３９を複数備えている。システム制御部１１の検知部１３は、これら操作部材３９が操作されたことを検知する。そして、システム制御部１１は、検知部１３の検知情報に応じて各種処理を実行する。また、表示制御部３６は、システム制御部１１を介して検知部１３の検知情報を取得し、表示部３７の各種表示を制御する。
【００２３】
カメラ１０は操作部材３９の類としてレリーズスイッチ４０を備える。レリーズスイッチ４０は、押下げ方向に２段階に検知できる押しボタンで構成されており、システム制御部１１は、１段階目の押下げであるＳＷ１の検知により撮影準備動作であるＡＦ、ＡＥ等を実行し、２段階目の押下げであるＳＷ２の検知により撮像素子３１による被写体像の取得動作を実行する。
【００２４】
ズームレンズ、フォーカスレンズ、手振れ補正レンズはレンズ制御部４１により制御されて、被写体像の画角を変更し、被写体像の特定領域を撮像素子３１の受光面上で合焦させ、手ぶれを打ち消して撮像素子３１の受光面上で安定した結像状態を維持する。レンズシャッタ２２は、露光制御部４２により制御されて、設定された絞り値およびシャッタ速度を実現する。
【００２５】
図２は、第１実施形態に係るカメラの背面図である。カメラ１０の背面には、表示部３７の他に、操作部材３９としての、ズームを指示するシーソースイッチ６１、メニュー項目を選択する十字キー６２、選択した項目を確定させる確定ボタン６３、メニュー画面を表示させるメニューボタン６４、ユーザが割り当てた機能を実行させるファンクションボタン６５を備える。
【００２６】
図２において、表示部３７にはファンクションボタン６５に割り当てる機能を設定するためのメニュー画面が表示されている。ファンクションボタン６５の機能として、アクティブＤ−ライティング、オートブラケティング、ＩＳＯ感度設定、セルフタイマー設定等の機能を設定できる。なお、第１実施形態において、表示部３７に表示する名称の言語としてドイツ語がユーザにより予め設定されている。
【００２７】
図２に示すとおり、表示制御部３６は、メニュー画面の左端に、それぞれがタブとして分類される再生タブ１０１、撮影タブ１０２、セットアップタブ１０３およびヘルプタブ１０４を設ける。再生に関するメニュー項目群は再生タブ１０１に纏められており、同様に、撮影に関するメニュー項目群は撮影タブ１０２に、カメラシステム１の使用環境に関するメニュー項目群はセットアップタブ１０３に纏められている。ヘルプタブ１０４には、表示されている項目に関連するヘルプ表示があるときに選択できる説明項目群が纏められている。本実施形態において、図２に示すように、セットアップタブ１０３が選択されている。
【００２８】
表示制御部３６は、メニュー画面上部に、タイトル欄１０５を設ける。タイトル欄１０５には、後述する第１項目欄１０６、第２項目欄１０７、第３項目欄１０８および第４項目欄１０９に表示されるメニュー項目を総称するタイトル名が表示される。例えば、第１項目欄１０６、第２項目欄１０７、第３項目欄１０８および第４項目欄１０９に表示されるメニュー項目が従属する上位のメニュー項目の名称がタイトル欄１０５に表示される。図２のメニュー画面において、セットアップに関するメニュー項目群の項目「ファンクションボタンの機能」の名称「Funktionstaste」がタイトル欄１０５に表示される。
【００２９】
表示制御部３６は、メニュー画面の中央部に、第１項目欄１０６、第２項目欄１０７、第３項目欄１０８および第４項目欄１０９を設ける。表示制御部３６は、ユーザの操作に応じて、各項目欄に１つのメニュー項目を配置する。図２のメニュー画面において、セットアップに関するメニュー項目群の項目「ファンクションボタンの機能」に属する項目「アクティブＤ−ライティング」の名称「Aktiv D-Beleuchtung」が第１項目欄１０６に表示される。
【００３０】
同様に、項目「ファンクションボタンの機能」に属する項目「オートブラケティング」の名称「Autom. Belichtungsreihen」が第２項目欄１０７に表示される。また、項目「ファンクションボタンの機能」に属する項目「ＩＳＯ感度設定」の名称「ISO-Empfindlichkeit」が第３項目欄１０８に表示される。そして、項目「ファンクションボタンの機能」に属する項目「セルフタイマー設定」の名称「Selfstausloser」が第４項目欄１０９に表示される。なお、項目欄の数は、４つに限らず、背面モニタのサイズ等に応じて予め設定される。
【００３１】
表示制御部３６は、十字キー６２の操作に応じて、メニュー画面に表示される複数のメニュー項目のうちいずれかの項目に対してカーソル１１０を移動し、当該項目をアクティブにする。図２のメニュー画面において、第１項目欄１０６の項目「アクティブＤ−ライティング」がカーソル１１０で選択されている。ユーザが確定ボタン６３を押下すると、カーソル１１０で選択されている項目が確定される。図２のメニュー画面においてユーザが確定ボタン６３を押下すると、項目「アクティブＤ−ライティング」が確定され、アクティブＤ−ライティングがファンクションボタン６５に割り当てられる。
【００３２】
図２のメニュー画面において、第２項目欄の項目「オートブラケティング」の名称「Autom. Belichtungsreihen」の左側に短縮マーク１１１が表示されている。短縮マーク１１１は、対応する名称が正式名称の文字列を短縮した短縮名称であることを示す。正式名称および短縮名称の詳細については後述する。なお、短縮マーク１１１を用いずに、短縮名称の文字の色、書体を他の名称と異ならせて短縮名称であることを示してもよい。また、短縮名称の背景色を他の名称と異ならせて短縮名称であることを示してもよい。
【００３３】
図２のメニュー画面において、ページ移行マーク１１２が第４項目欄１０９の下側に表示されている。ユーザがページ移行マーク１１２を指定すると、次のページのメニュー項目が各項目欄に表示される。
【００３４】
図３は、第１実施形態におけるメニュー画面の表示例を説明する図である。図３（ａ）は、図２で説明した、ファンクションボタン６５に割り当てる機能を設定するためのメニュー画面と同一である。第１項目欄１０６の項目「アクティブＤ−ライティング」がカーソル１１０で選択されており、第２項目欄１０７の項目「オートブラケティング」の名称「Autom. Belichtungsreihen」の左側に短縮マーク１１１が表示されている。
【００３５】
ここで、項目「オートブラケティング」を示す文字列である正式名称は「Automatische Belichtungsreihen」である。しかしながら、各項目欄の表示領域で表示できる最大文字数は後述するように予め規定されており、正式名称「Automatische Belichtungsreihen」は最大文字数を超えている。そのため、正式名称「Automatische Belichtungsreihen」の文字列をそのまま第２項目欄１０７に表示することができない。そこで、表示制御部３６は、正式名称「Automatische Belichtungsreihen」の文字列を短縮した短縮名称であって規定文字数の範囲内である短縮名称「Autom. Belichtungsreihen」を項目「オートブラケティング」の名称として第２項目欄１０７に表示させる。なお、各項目の正式名称および短縮名称は後述する名称テーブルで対応付けられおり、表示制御部３６は名称テーブルを参照して各項目欄の表示を制御する。
【００３６】
図３（ｂ）は、図３（ａ）のメニュー画面においてユーザがカーソル１１０を移動させて項目「オートブラケティング」を選択した場合のメニュー画面である。表示制御部３６は、短縮名称で表示された項目「オートブラケティング」が選択された場合に、当該項目の表示を短縮名称「Autom. Belichtungsreihen」から正式名称「Automatische Belichtungsreihen」に切り替える。具体的には、表示制御部３６は、第２項目欄１０７の表示領域を拡大して、正式名称「Automatische Belichtungsreihen」の全部を表示する。なお、項目「オートブラケティング」の表示が正式名称に切り替わったことに応じて、表示制御部３６は短縮マーク１１１を消去する。
【００３７】
図３（ｃ）は、図３（ｂ）のメニュー画面においてユーザがカーソル１１０を移動させて項目「ＩＳＯ感度設定」を選択した場合のメニュー画面である。表示制御部３６は、正式名称で表示された項目「オートブラケティング」の選択が解除された場合に、項目の表示を正式名称「Automatische Belichtungsreihen」から短縮名称「Autom. Belichtungsreihen」に切り替える。この場合に、表示制御部３６は、第２項目欄１０７の表示領域を戻す。なお、項目「オートブラケティング」の表示が短縮名称に切り替わったことに応じて、表示制御部３６は短縮マーク１１１を短縮名称「Autom. Belichtungsreihen」の左側に再度配置する。
【００３８】
上述のとおり、第１実施形態によれば、ユーザは短縮名称で表示されたメニュー項目をカーソルで選択するだけでメニュー項目の正式名称を確認することができる。また、他のメニュー項目を選択している場合には短縮名称で表示させてユーザの他のメニュー項目の視認を妨げない。
【００３９】
図４は、第１実施形態における名称テーブルを説明する図である。名称テーブル１２０は、メニュー項目群の各項目に対して正式名称と短縮名称とを対応付けるテーブルである。名称テーブル１２０はカメラ１０の製造時にシステムメモリ１２に記憶される。図４に示すように、各項目に対して、日本語、ドイツ語等の複数の言語の名称が対応付けられている。各言語で用いられる文字のサイズとメニュー画面における項目欄の表示領域のサイズとに応じて、メニュー画面の項目欄の表示領域で表示できる最大文字数は言語ごとに予め規定されている。本実施形態において、メニュー画面の項目欄の表示領域で表示できる日本語の最大文字数は１２文字、ドイツ語の最大文字数は２４文字である。
【００４０】
なお、上述の最大文字数は、同時に表示する他の文字列のサイズに応じて規定されていてもよい。また、上述の最大文字数は、同時に表示するアイコンのサイズに応じて規定されていてもよい。さらに、上述の最大文字数は、文字が全角である場合と半角である場合とで異ならせてもよい。
【００４１】
図４に示すように、項目「アクティブＤ−ライティング」に対し、項目「アクティブＤ−ライティング」を示す日本語の文字列「アクティブＤ−ライティング」が日本語の正式名称として対応付けられている。この正式名称「アクティブＤ−ライティング」は、日本語の最大文字数を超えているので、メニュー画面の項目欄に「アクティブＤ−ライティング」の文字列すべてを表示できない。そのため、項目「アクティブＤ−ライティング」を短縮し且つ最大文字数以内である日本語の文字列「Ａ．Ｄ−ライティング」が、日本語の短縮名称として項目「アクティブＤ−ライティング」に対応付けられている。なお、短縮名称は、それ自体で項目の全体の意味がおおよそ把握できる文字列であり、正式名称の先頭から最大文字数分を抜き出した文字列とは異なる。
【００４２】
また、項目「アクティブＤ−ライティング」に対し、項目「アクティブＤ−ライティング」を示すドイツ語の文字列「Aktiv D-Beleuchtung」がドイツ語の正式名称として対応付けられている。この正式名称「Aktiv D-Beleuchtung」は、ドイツ語の最大文字数以内であるので、メニュー画面の項目欄に「Aktiv D-Beleuchtung」の文字列すべてを表示できる。そのため、項目「アクティブＤ−ライティング」に対してドイツ語の短縮名称は設定されていない。
【００４３】
同様に、項目「オートブラケティング」に対し、項目「オートブラケティング」を示す日本語の文字列「オートブラケティング」が日本語の正式名称として対応付けられている。この正式名称「オートブラケティング」は、日本語の最大文字数以内であるので、メニュー画面の項目欄に「オートブラケティング」の文字列すべてを表示できる。そのため、項目「オートブラケティング」に対して日本語の短縮名称は設定されていない。
【００４４】
また、項目「オートブラケティング」に対し、項目「オートブラケティング」を示すドイツ語の文字列「Automatische Belichtungsreihen」がドイツ語の正式名称として対応付けられている。この正式名称「Automatische Belichtungsreihen」は、ドイツ語の最大文字数を超えているので、メニュー画面の項目欄に「Automatische Belichtungsreihen」の文字列すべてを表示できない。そのため、項目「オートブラケティング」を短縮し且つ最大文字数以内であるドイツ語の文字列「Autom. Belichtungsreihen」が、ドイツ語の短縮名称として項目「オートブラケティング」に対応付けられている。
【００４５】
項目「ＩＳＯ感度設定」の日本語の正式名称もドイツ語の正式名称も最大文字数以内であるので、項目「ＩＳＯ感度設定」に対しては正式名称のみ設定されている。同様に、項目「セルフタイマー設定」に対しても正式名称のみ設定されている。
【００４６】
名称テーブル１２０において正式名称と短縮名称とが対応付けられている項目を「短縮可能項目」と称する。具体的には、表示部３７に表示する名称の言語として日本語が設定されている場合には、項目「アクティブＤ−ライティング」が短縮可能項目である。また、表示部３７に表示する名称の言語としてドイツ語が設定されている場合には、項目「オートブラケティング」が短縮可能項目である。
【００４７】
次に、第１実施形態におけるメニュー画面の他の表示例を説明する。図５は、第１実施形態におけるメニュー画面の他の表示例１である。図５（ａ）は、図２で説明した、ファンクションボタン６５に割り当てる機能を設定するためのメニュー画面と同一である。第１項目欄１０６、第２項目欄１０７、第３項目欄１０８および第４項目欄１０９に、項目「アクティブＤ−ライティング」、「オートブラケティング」、「ＩＳＯ感度設定」および「セルフタイマー設定」がそれぞれ配置されている。第１項目欄１０６の項目「アクティブＤ−ライティング」がカーソル１１０で選択されており、第２項目欄１０７の短縮可能項目「オートブラケティング」の短縮名称「Autom. Belichtungsreihen」の左側に短縮マーク１１１が表示されている。
【００４８】
図５（ｂ）は、図５（ａ）のメニュー画面においてユーザがカーソル１１０を移動させて短縮可能項目「オートブラケティング」を選択した場合のメニュー画面である。表示制御部３６は、第４項目欄１０９を削除するとともに第３項目欄１０８を下方向にシフトする。そして、表示制御部３６は、第２項目欄１０７の表示領域を下方向に拡大し、短縮可能項目「オートブラケティング」の正式名称「Automatische Belichtungsreihen」を２行で表示する。なお、項目「オートブラケティング」の表示が正式名称に切り替わったことに応じて、表示制御部３６は短縮マーク１１１を消去する。このように名称を２行で表示できるように項目欄の表示領域を拡大することにより長い正式名称を表示できる。
【００４９】
図６は、第１実施形態におけるメニュー画面の他の表示例２である。図６（ａ）は、図２で説明した、ファンクションボタン６５に割り当てる機能を設定するためのメニュー画面と同一である。第１項目欄１０６、第２項目欄１０７、第３項目欄１０８および第４項目欄１０９に、項目「アクティブＤ−ライティング」、「オートブラケティング」、「ＩＳＯ感度設定」および「セルフタイマー設定」がそれぞれ配置されている。第１項目欄１０６の項目「アクティブＤ−ライティング」がカーソル１１０で選択されており、第２項目欄１０７の短縮可能項目「オートブラケティング」の短縮名称「Autom. Belichtungsreihen」の左側に短縮マーク１１１が表示されている。
【００５０】
図６（ｂ）は、図６（ａ）のメニュー画面においてユーザがカーソル１１０を移動させて短縮可能項目「オートブラケティング」を選択した場合のメニュー画面である。表示制御部３６は、第１項目欄１０６、第３項目欄１０８および第４項目欄１０９の表示領域を上下方向に圧縮する。そして、表示制御部３６は、第２項目欄１０７の表示領域を上下方向に拡大し、短縮可能項目「オートブラケティング」の正式名称「Automatische Belichtungsreihen」を２行で表示する。なお、項目「オートブラケティング」の表示が正式名称に切り替わったことに応じて、表示制御部３６は短縮マーク１１１を消去する。このように名称を２行で表示できるように項目欄の表示領域を拡大することにより長い正式名称を表示できる。
【００５１】
第１項目欄１０６、第３項目欄１０８および第４項目欄１０９の表示領域が上下方向に圧縮されることにより、これらの項目欄に表示される名称の文字サイズは図６に示すように圧縮前より小さくなる。そのため、圧縮後の項目欄に表示できる最大文字数は圧縮前より増加する。このように項目欄を圧縮して文字サイズを小さくする場合に、表示制御部３６は、圧縮前の項目欄に短縮名称で表示されていた短縮可能項目の表示を圧縮後の項目欄に正式名称で表示してもよい。
【００５２】
表示制御部３６は、図５（ｂ）で説明したように第４項目欄１０９を削除するとともに第３項目欄１０８を下方向にシフトし、さらに図６（ｂ）で説明したように第１項目欄１０６および第３項目欄１０８の表示領域を上下方向に圧縮してもよい。そして、表示制御部３６は、正式名称を３行で表示できるように第２項目欄１０７の表示領域を拡大してもよい。
【００５３】
図７は、第１実施形態におけるメニュー画面の表示処理を示すフロー図である。本フローは、例えば図３で説明したメニュー画面の表示の推移に対応する制御フローである。表示制御部３６は、例えば、ユーザがメニューボタン６４を押下した場合に、本フローを開始する。なお、本実施形態において、表示制御部３６は、システム制御部１１を介して検知部１３の検知情報を取得し、ユーザによる操作部材３９の操作の内容を判定する。また、表示制御部３６は、システム制御部１１を介してシステムメモリ１２の各種情報を取得する。
【００５４】
ステップＳ１０１では、表示制御部３６は、メニュー画面を構成する画面構成データを取得する。具体的には、まず、表示制御部３６は、再生タブ１０１、撮影タブ１０２、セットアップタブ１０３およびヘルプタブ１０４をシステムメモリ１２から取得する。また、表示制御部３６は、タイトル欄１０５、第１項目欄１０６、第２項目欄１０７、第３項目欄１０８、第４項目欄１０９およびカーソル１１０のデータをシステムメモリ１２から取得する。
【００５５】
そして、表示制御部３６は、ユーザによる操作部材３９の操作に応じて、タイトルの名称データおよび各項目欄に表示される表示項目の名称データをシステムメモリ１２に記憶されている名称テーブル１２０を参照して取得する。表示項目の名称データに短縮名称データが含まれている場合に、表示制御部３６は短縮マーク１１１のデータをシステムメモリ１２から取得する。また、表示項目のページの前後に別の表示項目を含むページが存在する場合に、表示制御部３６はページ移行マーク１１２のデータをシステムメモリ１２から取得する。
【００５６】
ステップＳ１０２では、表示制御部３６は、ステップＳ１０１で取得した画面構成データを用いてメニュー画面を表示部３７に表示させる。図３で説明したメニュー画面のように、表示項目に短縮可能項目が含まれている場合に、表示制御部３６は当該短縮可能項目を短縮名称で表示部に表示させる。なお、表示制御部３６は、メニュー画面の切り替え直後において、短縮可能項目がカーソル１１０で選択されている場合であっても短縮名称で表示部３７に表示させる。
【００５７】
ステップＳ１０３では、表示制御部３６は、ユーザによる操作部材３９の操作に応じて、メニュー画面のカーソルを移動させたか否かを判断する。カーソルを移動させたと判断した場合にはステップＳ１０４に移行する。一方、カーソルを移動させていないと判断した場合にはステップＳ１０９に移行する。
【００５８】
ステップＳ１０４では、表示制御部３６は、ステップＳ１０３のカーソル移動の結果、表示部３７に正式名称で表示されていた短縮可能項目の選択の解除が行われたか否かを判断する。すなわち、表示制御部３６は、カーソルの移動前に選択されていた項目が短縮可能項目であったか否かを判断する。短縮可能項目の選択の解除が行われたと判断した場合にはステップＳ１０５に移行する。一方、短縮可能項目の選択の解除が行われていないと判断した場合にはステップＳ１０６に移行する。
【００５９】
ステップＳ１０５では、表示制御部３６は、選択が解除された短縮可能項目の表示を正式名称から短縮名称に切り替える。このステップＳ１０５の処理は、図３（ｃ）で説明したとおりである。そして、ステップＳ１０６では、表示制御部３６は、ステップＳ１０３のカーソル移動の結果、表示部３７に短縮名称で表示されている短縮可能項目が選択されたか否かを判断する。
【００６０】
短縮可能項目が選択されたと判断した場合にはステップＳ１０７に移行する。ステップＳ１０７では、表示制御部３６は、表示部３７に表示されているメニュー画面のカーソルの位置を変更するとともに、カーソルで選択された短縮可能項目の表示を短縮名称から正式名称に切り替える。このステップＳ１０７の処理は、図３（ｂ）で説明したとおりである。一方、短縮可能項目が選択されなかったと判断した場合にはステップＳ１０８に移行する。ステップＳ１０８では、表示制御部３６は、表示部３７に表示されているメニュー画面のカーソルの位置を変更する。
【００６１】
ステップＳ１０９では、表示制御部３６は、ユーザによる操作部材３９の指示がメニュー画面の切り替えの指示であるか否かを判断する。具体的には、ユーザによる操作部材３９の指示が上述したメニュー画面のページ移行マーク１１２の選択指示である場合に、表示制御部３６はメニュー画面の切り替えの指示であると判断する。また、ユーザによる操作部材３９の指示が上述のメニュー画面におけるタブの選択の変更指示である場合に、表示制御部３６はメニュー画面の切り替えの指示であると判断する。メニュー画面の切り替えの指示であると判断した場合にはステップＳ１０１へ戻る。一方、メニュー画面の切り替えの指示ではないと判断した場合にはステップＳ１１０に移行する。
【００６２】
ステップＳ１１０では、ユーザによる操作部材３９の指示がメニュー画面表示の終了の指示であるか否かを判断する。具体的には、ユーザによる操作部材３９の指示が静止画および動画撮影後の画像再生表示、撮影前および動画撮影中のライブビュー表示への変更指示である場合に、表示制御部３６はメニュー画面表示の終了の指示であると判断する。メニュー画面表示の終了の指示でないと判断した場合にはメニュー画面の表示を維持したままステップＳ１０３へ戻り、メニュー画面表示の終了の指示であると判断した場合には一連の処理を終了する。
【００６３】
図８は、第２実施形態に係るカメラのシステム構成図である。第２実施形態では、上述の第１実施形態と同様に、電子機器の一例としてカメラ２００について説明する。なお、上述の第１実施形態と同様の構成については同一の番号を付与し説明を省略する。
【００６４】
第２実施形態においても図４で説明した名称テーブル１２０が用いられる。第２実施形態の後述する第１表示例および第２表示例において、表示部３７に表示する名称の言語としてドイツ語がユーザにより予め設定されている。また、第２実施形態の後述する第３表示例および第４表示例において、表示部３７に表示する名称の言語として日本語がユーザにより予め設定されている。
【００６５】
カメラ２００は、ユーザからの操作を受け付けるタッチパネルセンサ２０１を備える。タッチパネルセンサ２０１は表示部３７の表面に積層されている。システム制御部１１の検知部１３は、タッチパネルセンサ２０１が操作された場合に、操作位置の座標および接触形態を検知する。
【００６６】
操作部材３９の各種操作をタッチパネルセンサ２０１で実行できる場合に、操作部材３９の少なくとも一部の搭載を省くことができる。例えば、カメラ２００の背面には、操作部材３９を搭載せず、表示部３７およびタッチパネルセンサ２０１のみによって構成できる。
【００６７】
図９は、第２実施形態におけるメニュー画面の第１表示例である。第１実施形態のメニュー画面と第２実施形態のメニュー画面との相違は、図９に示すように第２実施形態のメニュー画面にカーソル１１０がない点である。ユーザは、カーソル１１０でメニュー項目を選択しなくても、メニュー項目にタッチしてメニュー項目の選択できる。
【００６８】
図９（ａ）は、上述した第１実施形態のメニュー画面と同様に、ファンクションボタン６５に割り当てる機能を設定するためのメニュー画面である。第１項目欄１０６、第２項目欄１０７、第３項目欄１０８および第４項目欄１０９に、項目「アクティブＤ−ライティング」、「オートブラケティング」、「ＩＳＯ感度設定」および「セルフタイマー設定」がそれぞれ配置されている。第２項目欄１０７の短縮可能項目「オートブラケティング」の短縮名称「Autom. Belichtungsreihen」の左側に短縮マーク１１１が表示されている。
【００６９】
図９（ｂ）は、ユーザが図９（ａ）のメニュー画面における第２項目欄１０７に短縮名称で表示された短縮可能項目「オートブラケティング」を二本指で選択した場面を説明する図である。この二本指の接触形態は、メニュー項目の確定操作に対応する一本指の接触形態と異なる。この場合に、表示制御部３６は、図９（ｃ）に示すように、第２項目欄１０７の表示領域を拡大して当該短縮可能項目の表示を正式名称「Automatische Belichtungsreihen」に切り替える。なお、項目「オートブラケティング」の表示が正式名称に切り替わったことに応じて、表示制御部３６は短縮マーク１１１を消去する。
【００７０】
メニュー項目の確定操作に対応する一本指の接触形態と異なる接触形態は二本指に限らない。メニュー項目を一定時間以上一本指で接触し続ける長押しの接触形態であってもよい。なお、正式名称への切り替え操作の接触形態をユーザが予め設定できるようにしてもよい。
【００７１】
図１０は、第２実施形態におけるメニュー画面の第２表示例である。図１０（ａ）は、図９（ｂ）に示すようにユーザが図９（ａ）のメニュー画面の短縮可能項目「オートブラケティング」を二本指で選択した場合のメニュー画面である。図１０（ａ）のメニュー画面は、図９（ｃ）のメニュー画面と異なり、第２項目欄１０７の表示領域が拡大されていない。そして、第２項目欄１０７には、短縮可能項目「オートブラケティング」の正式名称「Automatische Belichtungsreihen」の一部の文字列である「Automatische Belichtungs」が表示されている。この文字列「Automatische Belichtungs」は、正式名称の先頭から最大文字数分の文字列である。また、この文字列「Automatische Belichtungs」の表示の左側に、左スクロールマーク２１１が表示されている。
【００７２】
図１０（ｂ）は、ユーザが図１０（ａ）のメニュー画面における第２項目欄１０７に正式名称の一部の文字列「Automatische Belichtungs」の表示を左スクロール操作した場面を説明する図である。左スクロール操作は、指で項目表示を押下したまま、この指を左方向にスライドさせる操作である。表示制御部３６は、この左スクロール操作に応じて、正式名称の表示を左方向にスクロールして図１０（ｃ）に示すメニュー画面を表示部３７に表示させる。また、表示制御部３６は、左スクロールマーク２１１が押下された場合も同様に正式名称の表示を左方向にスクロールする。
【００７３】
図１０（ｃ）のメニュー画面の第２項目欄１０７には、短縮可能項目「オートブラケティング」の正式名称「Automatische Belichtungsreihen」の一部の文字列である「tische Belichtungsreihen」が表示されている。この文字列「tische Belichtungsreihen」は、正式名称の最後尾から最大文字数分の文字列である。この文字列「tische Belichtungsreihen」の表示の右側に、右スクロールマーク２１２が表示されている。
【００７４】
図１０（ｃ）のメニュー画面における第２項目欄１０７に正式名称の一部の文字列「Automatische Belichtungs」の表示に対する右スクロール操作に応じて、表示制御部３６は、正式名称の表示を右方向にスクロールして図１０（ａ）に示すメニュー画面を表示部３７に表示させる。右スクロール操作は、指で項目表示を押下したまま、この指を右方向にスライドさせる操作である。また、表示制御部３６は、右スクロールマーク２１２が押下された場合も同様に正式名称の表示を右方向にスクロールする。
【００７５】
表示制御部３６は、第２項目欄１０７の表示領域を拡大させずに図１０のメニュー画面の表示処理を実行しているが、図９（ｃ）のように表示領域を拡大させた上で図１０の表示処理を実行してもよい。また、上述の図１０の表示処理を第１実施形態に適用してもよい。この場合に、ユーザが左スクロールマーク２１１および右スクロールマーク２１２をカーソルで選択した場合に、表示制御部３６は上述の正式名称のスクロール表示処理を実行する。
【００７６】
図１１は、第２実施形態におけるメニュー画面の第３表示例である。図１１において、表示部３７には撮影モードを設定するためのメニュー画面が表示されている。図１１に示すように、メニュー画面上部にタイトル欄３０１が設けられ、タイトル名「撮影モード」が表示されている。また、メニュー画面中央には、各モードを示すマークが配置された回転ダイヤル３０２が表示されている。
【００７７】
回転ダイヤル３０２の表示に対する時計回り操作に応じて、表示制御部３６は回転ダイヤル３０２を時計回りに回転させる。また、回転ダイヤル３０２の表示に対する反時計回り操作に応じて、表示制御部３６は回転ダイヤル３０２を反時計回りに回転させる。そして、指標３０３に合わせられた回転ダイヤル３０２のマークに対応するモードが撮影モードとして設定される。
【００７８】
回転ダイヤル３０２のマークのうち「Ｐ」はメニュー項目「プログラムオート」の短縮名称である。同様に、「Ｓ」、「Ａ」および「Ｍ」は、それぞれメニュー項目「シャッター優先オート」、「絞り優先オート」および「マニュアル」の短縮名称である。ここで、図１１（ｂ）に示すように短縮名称「Ｐ」で表示された項目「プログラムオート」が指標３０３に合わせられた場合、表示制御部３６は、名称欄３０４を設けて、正式名称「プログラムオート」を名称欄３０４に表示させる。
【００７９】
図１２は、第２実施形態におけるメニュー画面の第４表示例である。図１２において、表示部３７には撮影モードを設定するためのメニュー画面が表示されている。図１２に示すように、メニュー画面上部にタイトル欄４０１が設けられ、タイトル名「撮影モード」が表示されている。また、タイトル欄４０１の下側の領域に、各モードを示すマークが配置された入力ボタン群４０２が表示されている。ユーザに押下された入力ボタンのマークに対応するモードが撮影モードとして設定される。
【００８０】
入力ボタン群４０２のマークは、図１１の回転ダイヤル３０２のマークと同一であり、マークに対応するモードも同一である。ここで、入力ボタン群４０２のうち短縮名称「Ｐ」の入力ボタンが選択された場合に、表示制御部３６は、図１２（ｂ）に示すように、名称欄４０３を設けて、正式名称「プログラムオート」を名称欄４０３に表示させる。
【００８１】
図１１のメニュー画面および図１２のメニュー画面のいずれで撮影モードを設定するかをユーザが予め設定できるようにしてもよい。また、表示制御部３６は、図１１のメニュー画面および図１２のメニュー画面に画面切替ボタンを配置し、一方のメニュー画面の画面切替ボタンが選択された場合に、画面表示を他方のメニュー画面に遷移するようにしてもよい。
【００８２】
上述の実施形態において、電子機器であるカメラが、検知部、名称記憶部、表示制御部、表示部および操作部材をすべて備えているがこれに限らない。例えば、電子機器は検知部、名称記憶部および表示制御部を備え、表示部および操作部材を備える他の装置と有線または無線で通信し、上述のメニュー画面を他の装置の表示部に表示させるようにしてもよい。
【００８３】
また、上述の実施形態においては、カメラを電子機器の例として説明したが、当然カメラへの適用に限らない。メニュー画面を用いる携帯電話、ナビゲーションシステム、ゲーム機器等の電子機器であれば、上述の概念はいずれも適用できる。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１０  カメラ、１１  システム制御部、１２  システムメモリ、１３  検知部、２０  光学系、２１  レンズ群、２２  レンズシャッタ、３１  撮像素子、３２  Ａ／Ｄ変換器、３３  メモリ制御部、３４  内部メモリ、３５  画像処理部、３６  表示制御部、３７  表示部、３８  記録媒体ＩＦ、３９  操作部材、４０  レリーズスイッチ、４１  レンズ制御部、４２  露光制御部、５０  記録媒体、６１  シーソースイッチ、６２  十字キー、６３  確定ボタン、６４  メニューボタン、６５  ファンクションボタン、１０１  再生タブ、１０２  撮影タブ、１０３  セットアップタブ、１０４  ヘルプタブ、１０５  タイトル欄、１０６  第１項目欄、１０７  第２項目欄、１０８  第３項目欄、１０９  第４項目欄、１１０  カーソル、１１１  短縮マーク、１１２  ページ移行マーク、１２０  名称テーブル、２００  カメラ、２０１  タッチパネルセンサ、２１１  左スクロールマーク、２１２  右スクロールマーク、３０１  タイトル欄、３０２  回転ダイヤル、３０３  指標、３０４  名称欄、４０１  タイトル欄、４０２  入力ボタン群、４０３  名称欄
【図１】
2013084084.tif 000003
【図２】
2013084084.tif 000004
【図３】
2013084084.tif 000005
【図４】
2013084084.tif 000006
【図５】
2013084084.tif 000007
【図６】
2013084084.tif 000008
【図７】
2013084084.tif 000009
【図８】
2013084084.tif 000010
【図９】
2013084084.tif 000011
【図１０】
2013084084.tif 000012
【図１１】
2013084084.tif 000013
【図１２】
2013084084.tif 000014